(57)【要約】      （修正有）【課題】タイン取付部材に対するタインの組付けを能率よく行うと共に、タインの交換等のメンテナンス作業を行い易くすることができる収穫機用の掻込みリールを提供する。【解決手段】左右一対のリール外枠の外周に横設される複数のタイン取付部材１９に、上部をＵ字状に屈曲させた取付部２０ｃとその先端を折り曲げて形成した係止部２０ｄを有するタイン２０を、左右方向の掻き込み間隔を有して着脱自在に取付ける収穫機用の掻込みリールであって、前記タイン取付部材１９を前取付片２６と後取付片２７とにより構成し、前記前取付片２６と後取付片２７の間にタイン２０の取付部２０ｃを下方から挿脱自在に挿入する取付溝２８を形成し、後取付片２７又は前取付片２６にタイン２０の係止部２０ｄを下方からタイン挿脱方向にスライド自在に挿入する係合溝２７ａを穿設した。【選択図】図５
2012205583.tif 000002
【特許請求の範囲】
【請求項１】
左右一対のリール外枠（１７）の外周に横設される複数のタイン取付部材（１９）に、上部をＵ字状に屈曲させた取付部（２０ｃ）とその先端を折り曲げて形成した係止部（２０ｄ）を有するタイン（２０）を、左右方向の掻き込み間隔を有して着脱自在に取付ける収穫機用の掻込みリールにおいて、前記タイン取付部材（１９）を、タイン取付け用のボルト（２９）を挿入する取付孔（３０）を形成した前取付片（２６）と後取付片（２７）とにより構成し、前記前取付片（２６）と後取付片（２７）の間にタイン（２０）の取付部（２０ｃ）を下方から挿脱自在に挿入する取付溝（２８）を形成し、後取付片（２７）又は前取付片（２６）にタイン（２０）の係止部（２０ｄ）を下方からタイン挿脱方向にスライド自在に挿入する係合溝（２７ａ）を穿設したことを特徴とする収穫機用の掻込みリール。
【請求項２】
前取付片（２６）と後取付片（２７）との間に形成される取付溝（２８）を、溝口側の溝口幅（Ｌ２）が溝奥側の溝奥幅（Ｌ１）より徐々に広くなるように形成した請求項１記載の収穫機用の掻込みリール。
【発明の詳細な説明】
【技術分野】
【０００１】
本発明は、汎用コンバイン等に設置される収穫機用の掻込みリールに関する。
【背景技術】
【０００２】
従来、圃場に植立する作物を掻込みリールで掻込みながら刈取部で刈取り、刈取られた作物を搬送部を介し脱穀部に供給し脱穀選別する汎用コンバインは、掻込みリールを刈取部の前方で掻込回転自在に軸支している。上記掻込みリールは、左右一対のリール（リール外枠）間に複数のタイン取付部材を横設し、各タイン取付部材に複数のタインを左右方向の掻き込み間隔を有して着脱自在に取付けることができるタイン取付構造を備えている（例えば特許文献１参照。）。
上記タイン取付構造は、タインを弾力性を有する線状部材の上端部に逆Ｕ字状に屈曲させた上端屈曲部（取付部）を形成し、その折り返し端部にタイン取付部材側に向けて前後方向に屈曲させた係止部を設けている。そして、タイン取付部材に対し各タインは係止部を予め孔状の各係合部に挿入し並べた状態で、各上端屈曲部の上に帯板状の支持板を載せたのち、ボルトを支持板のボルト孔と上端屈曲部内とタイン取付部材のボルト孔に一連に挿入し、ボルト突出端にナットを螺装して締着することにより、タイン取付部材と支持板との間で上端屈曲部を挟持してタインを取付ける構成にしている。
【先行技術文献】
【特許文献】
【０００３】
【特許文献１】実開昭６４−４３９号公報
【発明の概要】
【発明が解決しようとする課題】
【０００４】
上記特許文献１に示される掻込みリールは、タインの係止部をタイン取付部材の係合部に挿入するので、タイン取付部材に対するタインを位置決めし支持板を載せたとき、ボルトの挿入を行い易くすることができる利点がある。然し、多数のタインのうち１本のタインが折損しその交換や修理等のメンテナンス作業を行う場合でも、多数のボルトナットを外したのちタインを挟持している支持板を外す必要があること、及びその再組付けをするとき煩雑な作業と手間を要する欠点がある。またタインの組付け作業やメンテナンス作業時に部品の散逸や誤組付け等を伴い易く、特に圃場において行われるタインの取付け作業性やメンテナンス性が非能率になる等の問題がある。
【課題を解決するための手段】
【０００５】
上記課題を解決するための本発明の収穫機用の掻込みリールは、第１に、左右一対のリール外枠１７の外周に横設される複数のタイン取付部材１９に、上部をＵ字状に屈曲させた取付部２０ｃとその先端を折り曲げて形成した係止部２０ｄを有するタイン２０を、左右方向の掻き込み間隔を有して着脱自在に取付ける収穫機用の掻込みリールにおいて、前記タイン取付部材１９を、タイン取付け用のボルト２９を挿入する取付孔３０を形成した前取付片２６と後取付片２７とにより構成し、前記前取付片２６と後取付片２７の間にタイン２０の取付部２０ｃを下方から挿脱自在に挿入する取付溝２８を形成し、後取付片２７又は前取付片２６にタイン２０の係止部２０ｄを下方からタイン挿脱方向にスライド自在に挿入する係合溝２７ａを穿設したことを特徴としている。
【０００６】
第２に、前取付片２６と後取付片２７との間に形成される取付溝２８を、溝口側の溝口幅Ｌ２が溝奥側の溝奥幅Ｌ１より徐々に広くなるように形成したことを特徴としている。
【発明の効果】
【０００７】
請求項１の発明によれば、タイン取付部材を前取付片と後取付片とにより構成し、前取付片と後取付片の間にタインの取付部を下方から挿脱自在に挿入する取付溝を形成し、後取付片又は前取付片にタインの係止部を下方からタイン挿脱方向にスライド自在に挿入する係合溝を穿設したことにより、タインを取付けるとき、取付部を取付溝内に下方から挿入しながら係止部を係合溝内に入れると、該係止部が係合溝に案内され取付部を取付孔に対向させた適正取付け位置にすることができるため、ボルトの挿入及び締着を能率よく速やかに行うことができる。従って、タインの交換等のメンテナンス作業を行うとき、従来のものように多数のボルトナットやタイン固定用の支持板を取り外す等の手間を要することなく、タインのみの着脱を簡単に行うことができる。
【０００８】
請求項２の発明によれば、前取付片と後取付片との間に形成される取付溝を、溝口側の溝口幅が溝奥側の溝奥幅より徐々に広くなるように形成したことにより、タイン取付部材にタインを取付けるとき、取付部の取付溝内への挿入を拡開している溝口幅から差し入れて容易に行うことができる。また前取付片と後取付片は、ボルトの締め込みによって取付部を確実に挟持し固定することができ、タイン取付バーに対するタインの着脱を能率よく簡単に行うことができる。
【図面の簡単な説明】
【０００９】
【図１】汎用型コンバインの側面図である。
【図２】図１の平面図である。
【図３】掻込みリール及び刈取部並びに搬送部の側面図である。
【図４】タイン取付構造の正面図である。
【図５】タイン取付構造の側面図である。
【発明を実施するための形態】
【００１０】
本発明の実施の形態を図面に基づいて説明する。図示する符号１は本発明に係る汎用型コンバインであり、このコンバイン１は、左右一対のクローラ式の走行部２ａを備える機体フレーム２に、その右側方位置に運転部３と原動機部４と穀粒貯留部５を前後方向に配設し、左側方位置に脱穀部６を配設し、脱穀部６の前方位置に刈取部９と搬送部１０等を配設している。また刈取部９と搬送部１０等は、刈取部９による作物の刈高さ調節を行うように昇降自在に支持されている。これにより圃場に植立する作物を刈取部９で刈取り、刈取られた作物を搬送部１０を介し脱穀部６に搬送し、脱穀部６により脱穀選別された穀粒（精粒）を穀粒貯留部５に供給して貯留する。
【００１１】
刈取部９は図１〜図３に示すように、プラットホーム１１の前端部に左右一対の分草体１２を取付け、該分草体１２，１２間の後方位置に刈刃１３を設け、該刈刃１３の後方位置にプラットホームオーガ１４を設け、プラットホーム１１の後端上部に左右一対のリール支持アーム１５の基端を取付け、両リール支持アーム１５，１５間に収穫機用リールとしての掻込みリール１６を回転自在に軸支している。
掻込みリール１６は、左右のリール外枠１７，１７の中心部をリール支軸１８を介してリール支持アーム１５，１５の先端部に取付け、両リール外枠１７，１７間に複数のタイン取付部材１９を円周方向の掻き込み間隔を有して横設している。各タイン取付部材１９には本発明に係るタイン取付構造によって、複数のタイン２０を左右方向の掻き込み間隔を有して着脱自在に取付けている。上記掻込みリール１６は前記リール支持アーム１５，１５の一方側に構成される伝動ケース２１を介して下向き矢印方向に回転駆動される。
【００１２】
次に、図３〜図５を参照しタイン取付構造について説明する。まずタイン取付部材１９は、左右のリール外枠１７に取付けられる円形パイプ状の横支持杆２３と、該横支持杆２３の略全長下部に沿ってタイン２０を下向きに突出するように取付けるタイン取付バー２５とからなる。タイン２０は弾力性を有するバネ鋼線状部材からなり、正面視で直線状をなす掻込部２０ａの上部にコイル部２０ｂを形成すると共に、その上部に逆Ｕ字状に屈曲させた取付部２０ｃを形成し、且つ逆Ｕ字状に折り返された端部にタイン取付バー２５側に向けて前後方向に屈曲させた係止部２０ｄを形成している。
【００１３】
タイン取付バー２５は、１枚の帯状板の幅中央部から一側に偏らせた位置でＵ字状に屈曲させることにより、側面視において前後方向で長さを異ならせた短片部からなる前取付片２６と長片部からなる後取付片２７とを一体的に形成した構成にしている。また上記タイン取付バー２５はプレス又はブレーキ加工等による曲げ加工時において、タイン２０の取付部２０ｃをタイン挿脱方向にスライド自在に挿入する取付溝２８を、図５に点線で示すように、溝奥側の溝奥幅Ｌ１から溝口側（溝先端開放側）の溝口幅Ｌ２が徐々に広がるように形成し、取付溝２８に対する取付部２０ｃの挿脱を溝の拡開形状によって行い易くしている。
【００１４】
さらにタイン取付バー２５は、前取付片２６と後取付片２７の板面に対し、取付溝２８内の取付部２０ｃをボルト２９によって取付ける取付孔３０を、左右方向に所定の取付け間隔を有して穿設している。各取付孔３０は、溝奥から解放端側に向けて離間させた所定の取付距離Ｈを有して穿設している。これにより、取付溝２８に取付部２０ｃを挿入した状態で、各取付孔３０にボルト２９を挿入し突出端にナット３１を螺装し締着したとき、前取付片２６と後取付片２７とをその弾力性に抗し、図５に点線で示す溝拡開姿勢から実線の挟持姿勢に無理なく締め込み、取付溝２８内の取付部２０ｃを押圧し挟持するようにしている。
【００１５】
また前取付片２６は板端部を前側に向けて屈曲させたリブ２６ａを形成しており、該リブ２６ａは板剛性を高め且つ取付溝２８内への取付部２０ｃの挿入を容易にする。また後取付片２７は下方の板端部から取付孔３０側に向けて凹溝状の係合溝２７ａを穿設している。この係合溝２７aは取付溝２８内に取付部２０ｃを挿入するとき、前記係止部２０ｄを挿脱方向に挿入案内しタイン２０を適正取付位置に簡単に位置決めすることができる。上記のように構成されるタイン取付バー２５は、その屈曲部側を横支持杆２３に一体的に固設している。
【００１６】
以上のように構成されるタイン取付構造によるタイン２０の取付け態様について説明する。先ず、タイン２０を係止部２０ｄが後方向きとなる姿勢で、取付部２０ｃを前側から後取付片２７の下部側に平行状に接当させると共に、取付部２０ｃを下方から溝口幅Ｌ２の溝口を介し取付溝２８内にスライド挿入しながら、係止部２０ｄを係合溝２７ａ内に挿入し、取付部２０ｃを取付孔３０に一致させる。次いで、ボルト２９を前取付片２６側の取付孔３０から挿入し、取付溝２８内で取付部２０ｃの屈曲部内に入れて後取付片２７側の取付孔３０に挿入し、ボルト突出端にナット３１を螺装し両者を締着する。
【００１７】
これにより前取付片２６と後取付片２７は、ボルト２９とナット３１の締め込みにより、前記点線で示す溝拡開姿勢から取付部２０ｃを押圧し強く挟持してタイン２０を安定よく固定する。このとき係合溝２７ａは溝口側を広くしているので取付部２０ｃの挿入が行い易く、また係止部２０ｄは係合溝２７ａの奥端に接当するため、取付部２０ｃが取付孔３０から大きく外れることなく適正取付け位置になるので、ボルト２９の挿入及び締着を速やかに行うことができる。従って、掻込みリール１６に装着されたままのタイン取付バー２５に対しても、全てのタイン２０を１本づつ簡単且つ容易に取付けることができる。
【００１８】
上記のように取付けられたタイン２０は、機体を前進させながら掻込みリール１６を回転して掻込み作業を行うとき、下向き姿勢の各掻込部２０ａが作物を引っ掛けて刈刃１３及びプラットホームオーガ１４側に掻き込む。これにより作物は刈刃１３によって刈り取られプラットホームオーガ１４から搬送部１０を介して脱穀部６に搬送供給される。この作物掻き込み時に各タイン２０は、前後及び左右方向に負荷を受けるが、前後方向負荷に対しては、前取付片２６と後取付片２７が取付部２０ｃを挟持しているので安定支持される。また左右方向負荷に対しては、係止部２０ｄが係合溝２７ａに係止され且つ取付部２０ｃが挟持固定されていることにより安定支持される。従って、タイン２０が倒伏作物を強引に掻き込む場合でも、ボルト２９，ナット３１の緩みを抑制し長期にわたり安定的な掻き込みを行うことができる。
【００１９】
またタイン２０が折損したり弾性疲労を生じて交換を要するときは、そのタイン２０を締着しているボルト２９を緩め取付孔３０から引き抜くと、取付部２０ｃの挟持及びボルト２９の係止が解除され、タイン２０をタイン取付バー２５から離脱させることができる。このとき前取付片２６と後取付片２７は、板部材が有する弾力性によって取付溝２８を拡開させる拡開姿勢に復帰するため、大きな取出し抵抗を伴うことなくタイン２０を溝方向に沿って容易に取出すことができる。また係合溝２７ａは凹溝状に形成され溝端を開放しているので、係止部２０ｄを溝方向にスライド移動させて溝端から離脱する。
【００２０】
またタイン２０を取外したタイン取付部材１９に対するタイン２０の再取付けは、前記したように後取付片２７の下部側を利用して、取付部２０ｃを下方からタイン挿脱方向に取付溝２８内にスライド挿入しながら、係止部２０ｄを係合溝２７ａ内に差し入れる。このとき係合溝２７ａは溝口側を拡開しているため取付部２０ｃの挿入が行い易く、また係止部２０ｄが係合溝２７ａの奥端に接当するため、取付部２０ｃが取付孔３０から大きく外れないので、ボルト２９の挿入及び締着を速やかに行うことができる。
【００２１】
このように本発明による取付構造は、タイン２０の交換や修理等のメンテナンス作業を行うとき、そのタイン２０のみの着脱を行うことができるので、従来のものように複数のタイン固定用の支持板を止めている多数のボルトナットを外し支持板を取り外す等の手間を要することがない。従って、掻込みリール１６に装着されたままのタイン取付バー２５に対しても、タイン２０毎のボルト２９を着脱するだけの簡単な作業によって、タイン２０の着脱を能率よく簡単に行うことができる等の特徴がある。
【００２２】
尚、図示例のタイン取付バー２５は、前取付片２６と後取付片２７とを帯状板の中途部を側面視でＵ字状に屈曲することにより形成し、その屈曲部を左右のリール外枠１７を連結する横支持杆２３に固設したが、これに限ることなく例えば、前取付片２６と後取付片２７とに分割した２枚の帯板を横支持杆２３に取付溝２８を有して固設するように構成してもよい。
【符号の説明】
【００２３】
１  汎用コンバイン
６  刈取部
１６  掻込みリール
１７  リール外枠
１９  タイン取付部材
２０  タイン
２０ｃ  取付部
２０ｄ  係止部
２５  タイン取付バー
２６  前取付片
２７  後取付片
２７ａ  係合溝
２８  取付溝
２９  ボルト
３０  取付孔
３１  ナット
【図１】
2012205583.tif 000003
【図２】
2012205583.tif 000004
【図３】
2012205583.tif 000005
【図４】
2012205583.tif 000006
【図５】
2012205583.tif 000007